(57)【要約】      （修正有）【課題】ジョブ処理を停止して、シート後処理を実行させている際に、ジョブが割り込まれても、当該ジョブが終了することに応じて、シート後処理を再開できる状態に遷移するできる仕組みを提供する。【解決手段】受け付けたジョブを保持する保持手段と、受け付けたジョブを処理するジョブ処理手段と、前記ジョブ処理手段によるジョブを停止させ、ユーザに挿入されるシートに後処理を行う後処理手段と、前記シートに対する後処理中に、所定のジョブの割込を受け付ける受付手段と、受け付けた割込ジョブよりも先に受け付けたジョブが前記保持手段に保持されているかどうかを判断する判断手段と、先に受け付けたジョブが保持されていると判断した場合、前記後処理手段によるシート処理を中断し、後から受け付けた割込ジョブを先に処理させ、当該割込ジョブを終了した後、中断したシート処理を再開可能な状態に遷移させる制御手段と、を備える。【選択図】図１０
2015000538.tif 000002
【特許請求の範囲】
【請求項１】
受け付けたジョブを保持する保持手段と、
受け付けたジョブを処理するジョブ処理手段と、
前記ジョブ処理手段によるジョブを停止させ、ユーザに挿入されるシートに後処理を行う後処理手段と、
前記シートに対する後処理中に、所定のジョブの割込を受け付ける受付手段と、
受け付けた割込ジョブよりも先に受け付けたジョブが前記保持手段に保持されているかどうかを判断する判断手段と、
先に受け付けたジョブが保持されていると判断した場合、前記後処理手段によるシート処理を中断し、後から受け付けた割込ジョブを先に処理させ、当該割込ジョブを終了した後、中断したシート処理を再開可能な状態に遷移させる制御手段と、
を備えることを特徴とする印刷装置。
【請求項２】
割込ジョブの実行前に、前記後処理手段による後処理の終了を待たせるかどうかを決定する割込ジョブ実行前情報と、割込ジョブの実行後に、前記後処理手段による後処理を前記保持手段に保持されるジョブより先に実行させるかどうかを決定する割込ジョブ実行後情報とを保存する保存手段を備え
前記制御手段は、前記保存手段に保存される前記割込ジョブ実行前情報または前記割込ジョブ実行後情報の設定状態に応じて、割込ジョブ実行前のシート後処理または割込ジョブ終了後のシート後処理を制御することを特徴とする請求項１記載の印刷装置。
【請求項３】
前記保存手段に保存される前記割込ジョブ実行前情報が有効に設定されている場合、前記制御手段は、割込みジョブを優先して実行させることを特徴とする請求項２記載の印刷装置。
【請求項４】
前記保存手段に保存される前記割込ジョブ実行前情報が有効に設定されていない場合、前記制御手段は、シート後処理を優先して実行させることを特徴とする請求項２記載の印刷装置。
【請求項５】
前記保存手段に保存される前記割込ジョブ実行後情報が有効に設定されている場合、前記制御手段は、シート後処理を優先して実行させることを特徴とする請求項２記載の印刷装置。
【請求項６】
前記保存手段に保存される前記割込ジョブ実行後情報が有効に設定されていない場合、前記制御手段は、保持されるジョブを優先して実行させることを特徴とする請求項２記載の印刷装置。
【請求項７】
前記ジョブ処理手段は、シートに印刷を行う印刷手段と、原稿を読み取る読取手段と、を含むことを特徴とする請求項１記載の印刷装置。
【請求項８】
受け付けたジョブを保持する保持手段と、受け付けたジョブを処理するジョブ処理手段と、前記ジョブ処理手段によるジョブを停止させ、ユーザに挿入されるシートに後処理を行う後処理手段と、を備える印刷装置の制御方法であって、
前記シートに対する後処理中に、所定のジョブの割込を受け付ける受付工程と、
受け付けた割込ジョブよりも先に受け付けたジョブが前記保持手段に保持されているかどうかを判断する判断工程と、
先に受け付けたジョブが保持されていると判断した場合、前記後処理手段によるシート処理を中断し、後から受け付けた割込ジョブを先に処理させ、当該割込ジョブを終了した後、中断したシート処理を再開可能な状態に遷移させる制御工程と、
を備えることを特徴とする印刷装置の制御方法。
【請求項９】
割込ジョブの実行前に、前記後処理手段による後処理の終了を待たせるかどうかを決定する割込ジョブ実行前情報と、割込ジョブの実行後に、前記後処理手段による後処理を前記保持手段に保持されるジョブより先に実行させるかどうかを決定する割込ジョブ実行後情報とを保存手段に保存する保存工程を備え
前記制御工程は、前記保存手段に保存される前記割込ジョブ実行前情報または前記割込ジョブ実行後情報の設定状態に応じて、割込ジョブを開始する前のシート後処理または割込ジョブ終了後のシート後処理を制御することを特徴とする請求項８記載の印刷装置の制御方法。
【請求項１０】
前記保存手段に保存される前記割込ジョブ実行前情報が有効に設定されている場合、前記制御工程は、割込みジョブを優先して実行させることを特徴とする請求項９記載の印刷装置の制御方法。
【請求項１１】
前記保存手段に保存される前記割込ジョブ実行前情報が有効に設定されていない場合、前記制御工程は、シート後処理を優先して実行させることを特徴とする請求項９記載の印刷装置の制御方法。
【請求項１２】
前記保存手段に保存される前記割込ジョブ実行後情報が有効に設定されている場合、前記制御工程は、シート後処理を優先して実行させることを特徴とする請求項９記載の印刷装置の制御方法。
【請求項１３】
前記保存手段に保存される前記割込ジョブ実行後情報が有効に設定されていない場合、前記制御工程は、保持されるジョブを優先して実行させることを特徴とする請求項９記載の印刷装置の制御方法。
【請求項１４】
請求項８乃至１３のいずれか１項に記載の印刷装置の制御方法をコンピュータに実行させることを特徴とするプログラム。
【発明の詳細な説明】
【技術分野】
【０００１】
本発明は、印刷装置、印刷装置の制御方法、及びプログラムに関するものである。
【背景技術】
【０００２】
従来、ステイプル等の後処理を行う後処理装置を備える印刷装置は、印刷装置自身が画像を印刷したシートを後処理装置へ１枚ずつ搬送し、後処理装置上のトレイに積載してから後処理を実行する形態が一般的である。
【０００３】
また、特許文献１には、ユーザによってフィニッシャの処理トレイに挿入されたシートに対して、ステイプルを行う印刷装置が記載されている。このような機能をマニュアルステイプル機能という。
【０００４】
このマニュアルステイプル機能を実行するタイミングを、ステイプルボタンが押下された時点ではなく、紙束検知センサによって、シートを検知した時点でステイプルする形態もある。例えば、特許文献２には、マニュアルステイプル機能を実行するタイミングを紙束検知センサによってシートを検知したタイミングとボタン押下のタイミングの２つを用意し、それらを切り替え可能な印刷装置が記載されている。
【０００５】
マニュアルステイプル機能は後処理装置を占有することになるため、マニュアルステイプルモード中に印刷装置が画像を印刷したシートが後処理装置に搬送されると、マニュアルステイプルを実施するシート束と衝突しジャムとなる。そのため、マニュアルステイプル機能の使用中（マニュアルステイプルモード中）には印刷装置の印刷ジョブを禁止する処理が必要である。また、印刷装置の印刷中にはマニュアルステイプル機能の使用（マニュアルステイプルモードへの移行）は許可しないといった処理が必要である。
【先行技術文献】
【特許文献】
【０００６】
【特許文献１】特開２００５−２０６２９８
【特許文献２】特開２００５−１０７３２２
【発明の概要】
【発明が解決しようとする課題】
【０００７】
ユーザＡが印刷装置のそばでマニュアルステイプル機能を長時間使用している状態で、少量のコピージョブを行いたいユーザＢが印刷装置のそばまで来た場合を想定する。上記で示したように、マニュアルステイプルモード中は、通常のコピーやＰＤＬ印刷といった印刷をともなうジョブを実行することができない。したがって、このようなマニュアルステイプル使用中のユーザに同意の元でコピージョブの割り込みをする場合、一旦手動でマニュアルステイプルモードから抜ける必要がある。しかし、マニュアルステイプルモード中にコピージョブや印刷ジョブといったジョブが印刷待ちになっている状況では、マニュアルステイプルモードから抜けた瞬間に印刷待ちになっていたジョブが開始されてしまう。そのため、開始してしまったジョブが完了するまで、印刷装置のそばまで来たユーザＢが、自分のジョブを行うことができなくなってしまう。
【０００８】
本発明は、上記の課題を解決するためになされたものである。本発明の目的は、ジョブ処理を停止して、シート後処理を実行させている際に、ジョブが割り込まれても、当該ジョブが終了することに応じて、シート後処理を再開できる状態に遷移できる仕組みを提供することである。
【課題を解決するための手段】
【０００９】
上記目的を達成する本発明の印刷装置は以下に示す構成を備える。
受け付けたジョブを保持する保持手段と、受け付けたジョブを処理するジョブ処理手段と、前記ジョブ処理手段によるジョブを停止させ、ユーザに挿入されるシートに後処理を行う後処理手段と、前記シートに対する後処理中に、所定のジョブの割込を受け付ける受付手段と、受け付けた割込ジョブよりも先に受け付けたジョブが前記保持手段に保持されているかどうかを判断する判断手段と、先に受け付けたジョブが保持されていると判断した場合、前記後処理手段によるシート処理を中断し、後から受け付けた割込ジョブを先に処理させ、当該割込ジョブを終了した後、中断したシート処理を再開可能な状態に遷移させる制御手段と、を備えることを特徴とする。
【発明の効果】
【００１０】
本発明によれば、ジョブ処理を停止して、シート後処理を実行させている際に、ジョブが割り込まれても、当該ジョブが終了することに応じて、シート後処理を再開できる状態に遷移できる。
【図面の簡単な説明】
【００１１】
【図１】画像入出力システムの全体構成を示すブロック図である。
【図２】図１に示したリーダ部及びプリンタ部の断面図である。
【図３】図１に示した操作部の構成を説明する平面図である。
【図４】図１に示したフィニッシャ部の外観を示す斜視図である。
【図５】印刷装置の制御方法を説明するフローチャートである。
【図６】印刷装置の制御方法を説明するフローチャートである。
【図７】操作部に表示されるＵＩ画面の一例を示す図である。
【図８】操作部に表示されるＵＩ画面の一例を示す図である。
【図９】操作部に表示されるＵＩ画面の一例を示す図である。
【図１０】印刷装置の制御方法を説明するフローチャートである。
【発明を実施するための形態】
【００１２】
次に本発明を実施するための最良の形態について図面を参照して説明する。
＜システム構成の説明＞
〔第１実施形態〕
図１は、本実施形態を示す印刷装置を適用する画像入出力システムの全体構成を示すブロック図である。なお、本実施形態では、印刷装置がジョブ処理手段として、シートに印刷を行う印刷手段と、原稿を読み取る読取手段と、シート後処理手段を備えるシステム例を用いて説明する。
【００１３】
図１において、２００はリーダ部（画像入力装置）で、原稿画像を光学的に読み取り、画像データを生成する。リーダ部２００は、原稿を読み取るための機能を持つスキャナユニット２１０と、原稿用紙を搬送するための機能を持つ原稿給紙ユニット（ＤＦユニット）２５０とで構成される。
【００１４】
３００はプリンタ部（画像出力装置）で、記録紙（シート）を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０から構成されている。さらに印字された記録紙を機外へ出力する機能を持つ排紙ユニット３３０、ステイプル処理、ソート処理を行うフィニッシャ部（フィニッシャユニット）５００とで構成される。制御装置１１０は、ＣＰＵ１２０，画像メモリ１３０、不揮発メモリ１４０、ＲＡＭ１５０、ＲＯＭ１６０、操作部１７０から構成されている。なお、本実施形態において、ＲＡＭ１５０は、後述するマニュアルステイプルモード中に受け付けるジョブを保持する保持手段として使用される。また、ＲＡＭ１５０は、割込ジョブの実行前に、シート後処理の終了を待たせるかどうかを決定する割込ジョブ実行前情報を保存する手段としても使用される。さらに、ＲＡＭ１５０は、割込ジョブの実行後に、シート後処理を保持手段に保持されるジョブより先に実行させるかどうかを決定する割込ジョブ実行後情報とを保存する手段としても使用される。なお、本実施形態でいう割込ジョブとは、マニュアルステープルモードに割り込んで印刷を実行するジョブのことをいう。
【００１５】
制御装置１１０は、リーダ部２００、プリンタ部３００と電気的に接続されている。そして、制御装置１１０内のＣＰＵ１２０はリーダ部２００を制御して、原稿の画像データを画像メモリ１３０に読込み、プリンタ部３００を制御して画像メモリ１３０内の画像データを記録紙に出力してコピー機能を提供する。
更に不揮発メモリ１４０には各種調整値が格納され、ＲＡＭ１５０はＣＰＵ１２０のワーク領域として使用され、ＲＯＭ１６０はＣＰＵ１２０の制御プログラムが格納されている。
【００１６】
操作部１７０は液晶表示部と液晶表示部上に張り付けられたタッチパネルシートと、複数個のハードキーを有する。タッチパネルまたはハードキーにより入力された信号はＣＰＵ１２０に伝えられ、液晶表示部には、本印刷装置の操作における機能表示や画像データ等を表示する。
【００１７】
図２は、図１に示したリーダ部２００及びプリンタ部３００の断面図である。まず、リーダ部２００について説明する。
図２において、リーダ部２００において、原稿給紙ユニット（フィーダ）２５０は、原稿を先頭順に１枚ずつプラテンガラス２１１上へ給送し、原稿の読み取り動作終了後、プラテンガラス２１１上の原稿を排紙トレイ２１９に排出するものである。
【００１８】
原稿がプラテンガラス２１１上に搬送されると、ランプ２１２を点灯し、そして光学ユニット２１３の移動を開始させて、原稿を露光走査する。この時の原稿からの反射光は、ミラー２１４，２１５，２１６及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、制御装置１１０へ転送される。
【００１９】
プリンタ部３００において、３２１はレーザドライバで、レーザ発光部３２２を駆動するものであり、制御装置１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００２０】
また、プリンタ部３００は給紙ユニット３１０として、それぞれ引き出し状の形状をしたカセット３１１，カセット３１２，カセット３１３，カセット３１４を有している。それぞれ給紙カセットを引き出し、そのカセットに用紙を補給し、カセットを閉めることによって、用紙補給を行っている。
【００２１】
プリンタ部３００は、カセット３１１、３１２，３１３，３１４のいずれかから記録紙を給紙し、転写部３２５へ搬送路３３１によって搬送する。転写部３２５では感光ドラム３２３に付着された現像剤を記録紙に転写する。現像剤の乗った記録紙は搬送ベルト３２６によって、定着部３２７に搬送され、定着部３２７の熱と圧力により現像剤は記録紙に定着される。その後、定着部３２７を通過した記録紙は搬送路３３５、搬送路３３４を通り、排出される。あるいは、印字面を反転して排出する場合には、搬送路３３６、搬送路３３８まで導かれ、そこから記録紙を逆方向に搬送し、搬送路３３７、搬送路３３４を通る。
【００２２】
また、両面記録が設定されている場合は、定着部３２７を通過したあと、搬送路３３６からフラッパ３２９によって、搬送路３３３に記録紙は導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通り、転写部３２５へ給紙される。片面、両面記録にかかわらず、搬送路３３４より排出された記録紙はフィニッシャ部５００へ搬送される。
【００２３】
搬送された記録紙は、まずバッファユニット５０１へ送られる。ここでは、場合に応じて搬送されてきた記録紙をバッファローラに巻きつけてバッファリングする。例えば、この下流で行われるステイプル等処理に時間がかかる場合は、このバッファユニットを利用することによって本体から搬送されてくる記録紙の搬送速度を一定に保つことができ、スループットの向上に役立たせることが可能である。
そして、記録紙は、この後上流排出ローラ対５０２、下流排出ローラ対５０３で排紙口５１０を経由し排紙トレイ５０７に排出される。また、ステイプルモードの場合は、上流排出ローラ対５０２で搬送され記録紙後端がこれを抜けた直後、ローレットベルト５０４によって引き戻され、スタックトレイ５０５に排出される。
【００２４】
そして、所定の枚数分記録紙が積載されたあと、ステイプルユニット５０６によってステイプル処理が行われた後に、下流排出ローラ対５０３により排紙トレイ５０７に排出される。また、シフトソート時にはスタックトレイに積まれた用紙を左右にずらし、排紙トレイ５０７に排出することによって、部の切れ目を表現する。
【００２５】
通常のステイプルは搬送路３３４より排出された記録紙をスタックトレイ５０５に積載した後ステイプルする。それとは別にユーザが紙束をスタックトレイ５０５に挿入し、紙束検知センサ５２６が紙束を検知すると、スタックトレイ５０５の紙束に対してステイプルユニット５０６でステイプルするマニュアルステイプルモードがある。つまり、マニュアルステイプルモードは、転写部３２５や定着部３２７による画像の印刷を行うことなく、シートにステイプルを行うモードである。このマニュアルステイプルモードはマニュアルステイプルボタン５２０によって移行する。またフィニッシャ部５００の前に人が存在するかを検知する人感センサ５３０がある。
【００２６】
図３は、図１に示した操作部１７０の構成を説明する平面図である。
図３において、６００はＬＣＤタッチパネルで、主なモード設定、状況表示はここで行われる。６０１は０〜９までの数値を入力するためのテンキーである。６０２はＩＤキーで、装置が部門管理されている場合に部門番号と暗証モードを入力する際に使用されるものである。
【００２７】
６０３は設定されたモードをリセットするためのリセットキー、６０４は各モードについての説明画面を表示するためのガイドキー、６０５はユーザモード画面に入るためのユーザモードキー、６０６は割り込みコピーを行うための割り込みキーになっている。６０７はコピー動作をスタートさせるためのスタートキー、６０８は実行中のコピージョブを中止させるためのストップキーである。
【００２８】
６０９はソフト電源ＳＷで、押下することによりＬＣＤ６００のバックライトが消え装置は低電力状態に移行する。６１０は節電キーで、これを押下することで節電状態に入り、再度押下することで節電状態から復帰する。
【００２９】
６１４はＬＣＤタッチパネルのコントラストを調整するための調整キーである。６１５はカウンタ確認キーで、このキーを押下することでそれまでに使用したコピー枚数の集計を表示するカウント画面がＬＣＤ上に表示される。
【００３０】
６１６はジョブの実行中、画像メモリへの画像蓄積中を示すＬＥＤ、６１７がジャム、ドアオープン等装置がエラー状態にあることを示すエラーＬＥＤ、６１８は装置のメインスイッチがＯＮになっていることを示す電源ＬＥＤになっている。
【００３１】
次に図４と図５を用いて、印刷装置におけるマニュアルステープルモードに関する制御について説明する。図４は、図１に示したフィニッシャ部５００の外観を示す斜視図である。図５は、本実施形態を示す印刷装置の制御方法を説明するフローチャートである。本例は、マニュアルステープルジョブ処理例である。なお、各ステップは、ＣＰＵ１２０がＲＯＭ１６０等に記憶された制御プログラムを実行することで実現される。以下、図４、図８を用いてマニュアルステイプル処理の流れを説明する。
【００３２】
ＣＰＵ１２０はフィニッシャ部５００のマニュアルステイプルボタン５２０をユーザに押下されたことを検知する（Ｓ８０１）。このとき、ＣＰＵ１２０は印刷装置がプリント中かどうかを判断し、プリント中であるとＣＰＵ１２０が判断した場合、マニュアルステイプルボタン５２０の押下を無視する（Ｓ８０２）。
【００３３】
この制御はプリント中の場合には、フィニッシャ部５００の排紙口５１０からプリントされた紙が出力され、マニュアルステイプルの紙束とぶつかってジャムになるおそれがあるために実行される。
一方、Ｓ８０２で、プリント中でないとＣＰＵ１２０が判断した場合、ＣＰＵ１２０は印刷装置をマニュアルステイプルモードに遷移させる（Ｓ８０３）。これにより、マニュアルステイプルモード中に、ユーザはマニュアルステイプルのためにフィニッシャ部５００を占有することができ、マニュアルステイプルをするための操作に専念することができる。
続いて、ＣＰＵ１２０は、マニュアルステイプルボタン５２０の押下を検知していない場合（Ｓ８０４）、Ｓ８０５へ進む。そして、ＣＰＵ１２０が、紙束検知センサ５２６によって排紙口５１０からスタックトレイ５０５へ紙束が挿入されたことを検知すると（Ｓ８０５）、スタックトレイ５０５上の紙束に対してステイプルユニット５０６でステイプルをする（Ｓ８０６）。そして、Ｓ８０４へ戻る。
一方、Ｓ８０４で、ＣＰＵ１２０がマニュアルステイプルモード中に再度マニュアルステイプルボタン５２０の押下を検知した場合、ＣＰＵ１２０は、マニュアルステイプルモードから通常のモードに遷移させ（Ｓ８０７）、本処理を終了する。
【００３４】
図６は、本実施形態を示す印刷装置の制御方法を説明するフローチャートである。本例は、マニュアルステイプルモード中の割り込みジョブの設定処理例である。なお、各ステップは、ＣＰＵ１２０がＲＯＭ１６０等に記憶された制御プログラムを実行することで実現される。
図７〜図９は、図１に示した操作部１７０に表示されるＵＩ画面の一例を示す図である。
まず、ＣＰＵ１２０は、操作部１７０上に図７に示す印刷設定画面５０００を表示する（Ｓ９０１）。このとき、ユーザによって割り込み設定ボタン５００１を押下されたことをＣＰＵ１２０が検知すると（Ｓ９０２）、図８に示すＵＩ画面をポップアップ６０００で表示する。ここで、ＣＰＵ１２０がユーザによりマニュアルステイプル中割り込み設定ボタン６００１を押下されたことを検知すると（Ｓ９０３）、マニュアルステイプル中割り込み設定をＲＡＭ１５０に設定する。その上で、ＣＰＵ１２０は、再び印刷設定画面５０００を操作部１７０上に表示させる（Ｓ９０１）。
一方、Ｓ９０２で、ＣＰＵ１２０が戻るボタン６００２押下を検知した場合（Ｓ９０３）、そのまま印刷設定画面５０００に遷移する。
【００３５】
続いて、ＣＰＵ１２０はスタートボタン６０７が押下されたことを検知すると（Ｓ９０４）、ＲＡＭ１５０にアクセスし、マニュアルステイプルモード中割り込み設定があるかどうかをチェックする（Ｓ９０５）。マニュアルステイプルモード中割り込み設定があるとＣＰＵ１２０が判断した場合、マニュアルステイプルモード中割り込み設定が完了する。この段階でマニュアルステイプル設定がされていないと判断した場合、ＣＰＵ１２０は図９に示すＵＩ画面に示すポップアップ７０００を操作部１７０上に表示する。
ここで、ＣＰＵ１２０はマニュアルステイプルモード中割り込みボタン７００１が押下されたことを検知すると、マニュアルステイプル中割り込み設定をＲＡＭ１５０に設定し（Ｓ９０６）、マニュアルステイプルモード中割り込み設定が完了する。
【００３６】
一方、図９に示したＵＩ画面において、ユーザが中止ボタン７００２を押下したことをＣＰＵ１２０が検知すると、投入した印刷ジョブをキャンセルする。
また、ユーザがポップアップ７０００に対し何もアクションを起こさない場合、ＣＰＵ１２０はユーザがマニュアルステイプルボタン５２０が押下されるまで待ち、押下を検知後に印刷ジョブを開始する。
【００３７】
図１０は、本実施形態を示す印刷装置の制御方法を説明するフローチャートである。本例は、マニュアルステイプルモード中割り込みが実行された時の内部の処理例である。なお、各ステップは、ＣＰＵ１２０がＲＯＭ１６０等に記憶された制御プログラムを実行することで実現される。以下、後述する属性の異なるフラグ情報の設定状態をジョブ割込開始前に判断して割込ジョブ実行前のシート後処理または割込ジョブ終了後のシート後処理を制御する例を説明する。なお、本実施形態でいう割込ジョブとは、マニュアルステープルモードに割り込んで印刷を実行するジョブのことをいう。
ここで、以下の内部処理を説明するにあたって、マニュアルステイプルモード中割り込みジョブの保持する属性について説明する。具体的には、ＣＰＵ１２０が先に受け付けたジョブが保持されていると判断した場合、フィニッシャ部５００によるシート処理を中断する。そして、ＣＰＵ１２０は、後から受け付けた割込ジョブを先に処理させ、当該割込ジョブを終了した後、中断したシート処理を再開可能な状態に遷移させる例を説明する。
なお、マニュアルステイプルモード中割り込みジョブは、ジョブ実行前モード遷移フラグおよび実行後モード遷移フラグを保持し、その値はそれぞれＦａｌｓｅ，Ｔｒｕｅである。ジョブ実行前モード遷移フラグ（割込ジョブ実行前情報）とは、ジョブ実行前にマニュアルステイプルモードに対する遷移に利用されるフラグである。一方でジョブ実行後モード遷移フラグ（割込ジョブ実行後情報）とは、ジョブ実行後にマニュアルステイプルモードに遷移するために利用されるフラグである。
【００３８】
まず、シートに対する後処理中に、所定のジョブの割込を受け付けるマニュアルステイプルモード中割り込みジョブが投入されるとこの段階でＣＰＵ１２０はＲＯＭ１６０内の処理待ちキューに他のジョブが存在するかチェックする（Ｓ１００１）。つまり、ＣＰＵ１２０は、受け付けた割込ジョブよりも先に受付け、ジョブがＲＡＭ１５０に保持されているかどうかを判断する。
ここで、ＲＯＭ１６０内の印刷待ちキューにジョブが存在すると判断した場合、ＣＰＵ１２０は投入したマニュアルステイプルモード中割り込みジョブを印刷待ちキューの先頭に割り込ませる（Ｓ１００２）。続いて、ＣＰＵ１２０は投入されたジョブ実行前遷移フラグの設定状態をチェックする（Ｓ１００３）。
【００３９】
ＣＰＵ１２０はジョブ実行前モード遷移フラグがＦａｌｓｅであることをチェックし、マニュアルステイプルモードをＯＦＦにして（Ｓ１００４）、Ｓ１００７へ進む。
なお、マニュアルステイプルモード中割り込みジョブでは必ずジョブ実行前モード遷移フラグは「Ｆａｌｓｅ」である。しかしながら、仮にジョブ実行前遷移フラグが「Ｔｒｕｅ（有効）」の場合、ＣＰＵ１２０は引き続きマニュアルステイプルモードのままマニュアルステイプルモードから抜けるのを待つ（Ｓ１００５、Ｓ１００６）。具体的に、ＣＰＵ１２０は、ユーザにマニュアルステイプルボタン５２０を押されマニュアルステイプルモードから抜けるのを待つ。
そして、マニュアルステイプルモードがＯＦＦになったと同時に、ＣＰＵ１２０はマニュアルステイプルモード中割り込みジョブを実行する（Ｓ１００７）。
【００４０】
続いて、ＣＰＵ１２０は実行中のジョブ実行後遷移フラグの設定状態をチェックする（Ｓ１００８）。具体的には、ＣＰＵ１２０はマニュアルステイプルモード中割り込みジョブにおけるジョブ実行後遷移フラグが「Ｔｒｕｅ」であることをチェックした場合、ジョブが終了したことに応じて、自動で印刷装置をマニュアルステイプルモードに復帰させる（Ｓ１００９）。つまり、実行待ちの他のジョブがあっても、当該他のジョブの印刷を実行する前に、ＣＰＵ１２０は、印刷装置をマニュアルステイプルモードに移行させる。
一方、Ｓ１００８で、マニュアルステイプルモード中割り込みジョブでは必ずジョブ実行後モード遷移フラグは「Ｔｒｕｅ」である。しかしながら、仮にジョブ実行後遷移フラグが「Ｆａｌｓｅ」であると判断した場合、ＣＰＵ１２０は印刷待ちキューに存在する次のジョブを実行して（Ｓ１０１０）、本処理を終了する。
これにより、マニュアルステイプルモード中で印刷を停止している間に、ジョブの割込要求があっても、当該ジョブが終了することに応じて、マニュアルステイプルモードにおけるシートにステイプルのための作業を再開できる状態に遷移できる。
具体的には、ユーザＡが装置をマニュアルステイプルモードに移行させ、マニュアルステイプルのための操作をしている間に、ユーザＢが装置で少量のコピーをとりたいとユーザＡに依頼した場合を想定する。この場合、本実施形態によれば、ユーザＡがマニュアルステイプルモードを解除した場合に、ユーザＢがコピーを始める前に、マニュアルステイプルモード中に受け付けた実行待ちジョブが先に開始されることがなくなる。そのため、ユーザＢのコピーの印刷は、先に開始されたジョブのための印刷が終わるまで開始されず、ユーザＢは待たされることなく優先して実行される。その結果、ユーザＢに装置の利用をゆずったユーザＡも待たせずに済み。割込ジョブを要求するユーザＢと、シート処理を行うユーザＡとの要求をバランスよく調整することができるという効果を奏する。
また、ユーザＢによるジョブ（コピー印刷ジョブ）が終わった後、ユーザＢの実行待ちの他の印刷ジョブの印刷が開始される前に、印刷装置は自動的にマニュアルステイプルモードに移行する。そのため、ユーザＡの待ち時間を解消できる。
このように、ユーザは、マニュアルステイプルモード中に、プリントキュー内の他の印刷ジョブを実行することなく新たなコピージョブによる印刷を実行するためのモードに遷移させることができる。また、割り込ませたコピージョブが完了した後に、プリントキュー内の他の印刷ジョブを実行することなくマニュアルステイプルモードに戻ることが可能となる。
【００４１】
なお、本実施形態では、画像の印刷を行わずに実行するシート処理（後処理）の例としてステイプルを例にあげて説明したが、シート処理の例は、これに限られず、シートに穴を開けるパンチ処理であってもよい。また、上述した実施形態では、スタックトレイ５０５へ紙束が挿入されたシートに対して後処理を実行する例を説明した。しかしながら、本発明は、これに限られず、カセット３１１〜３１４（または不図示のインサータ）のいずれかから給紙されたシートに対して画像を印刷せずに後処理を実行してもよい。本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４２】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４３】
１１０  制御装置
１２０  ＣＰＵ
１７０  操作部
【図１】
2015000538.tif 000003
【図２】
2015000538.tif 000004
【図３】
2015000538.tif 000005
【図４】
2015000538.tif 000006
【図５】
2015000538.tif 000007
【図６】
2015000538.tif 000008
【図７】
2015000538.tif 000009
【図８】
2015000538.tif 000010
【図９】
2015000538.tif 000011
【図１０】
2015000538.tif 000012